(57)【要約】【課題】熱画像表示機能を有するウェアラブル装置を提供する。【解決手段】本発明の熱画像表示機能を有するウェアラブル装置は、第１表示装置と、第２表示装置と、レンズモジュールと、サーモグラフィーカメラとを備える。第２表示装置は第１表示装置に隣接し、レンズモジュールにより視覚範囲内の可視光画像がキャプチャされると共に可視光画像が第１表示装置に伝送されて第１表示装置に表示される。サーモグラフィーカメラにより視覚範囲内の熱画像がキャプチャされると共に前記熱画像が前記第２表示装置に伝送されて前記第２表示装置に表示される。【選択図】図１
2019029983.tif 000002
【特許請求の範囲】
【請求項１】
第１表示装置と、
前記第１表示装置に隣接する第２表示装置と、
視覚範囲内の可視光画像をキャプチャさせると共に前記可視光画像を前記第１表示装置に伝送させて前記第１表示装置に表示させるためのレンズモジュールと、
前記視覚範囲内の熱画像をキャプチャさせると共に前記熱画像を前記第２表示装置に伝送させて前記第２表示装置に表示させるためのサーモグラフィーカメラとを備えることを特徴とする熱画像表示機能を有するウェアラブル装置。
【請求項２】
制御基板を更に備え、前記レンズモジュールによりキャプチャされた前記可視光画像が前記制御基板により前記第１表示装置に伝送され、前記サーモグラフィーカメラによりキャプチャされた前記熱画像が前記制御基板により前記第２表示装置に伝送されることを特徴とする、請求項１に記載の熱画像表示機能を有するウェアラブル装置。
【請求項３】
前記制御基板はフォトルミネッセンス信号制御基板であることを特徴とする、請求項１に記載の熱画像表示機能を有するウェアラブル装置。
【請求項４】
前記第１表示装置、前記第２表示装置、前記レンズモジュール、及び前記サーモグラフィーカメラに接続されるプロセッサーを更に備えることを特徴とする、請求項１に記載の熱画像表示機能を有するウェアラブル装置。
【請求項５】
前記プロセッサーに接続され、ジェスチャーの検知及び認識に用いられるジェスチャー認識モジュールを更に備えることを特徴とする、請求項４に記載の熱画像表示機能を有するウェアラブル装置。
【請求項６】
前記プロセッサーは、外部装置から入力された画像信号を受信させると共に前記画像信号を前記第１表示装置及び前記第２表示装置に伝送させて再生するための入力ポートを更に備えることを特徴とする、請求項４に記載の熱画像表示機能を有するウェアラブル装置。
【請求項７】
前記入力ポートは高精細度マルチメディアインターフェース入力ポート(High Definition Multimedia Interface、HDMI)であることを特徴とする、請求項６に記載の熱画像表示機能を有するウェアラブル装置。
【請求項８】
前記プロセッサーに接続され、且つ前記プロセッサーにより前記第１表示装置及び前記第２表示装置に対して給電が行われる電源を更に備えることを特徴とする、請求項４に記載の熱画像表示機能を有するウェアラブル装置。
【請求項９】
前記プロセッサーに接続される電源制御基板を更に備え、外部電源が前記電源制御基板を介して前記プロセッサーに接続されることを特徴とする、請求項４に記載の熱画像表示機能を有するウェアラブル装置。
【請求項１０】
前記プロセッサーに接続される少なくとも１つのスピーカーを更に備え、前記プロセッサーにより音声信号が前記スピーカーに出力されることを特徴とする、請求項４に記載の熱画像表示機能を有するウェアラブル装置。
【請求項１１】
前記プロセッサーに接続されるマイクロフォンを更に備え、前記マイクロフォンにより音声が収音された後に音声信号に変換され、且つ前記プロセッサーに伝送されることを特徴とする、請求項４に記載の熱画像が表示可能なウェアラブル装置。
【請求項１２】
前記プロセッサーに接続される保存装置を更に備えることを特徴とする、請求項４に記載の熱画像表示機能を有するウェアラブル装置。
【請求項１３】
前記プロセッサーに接続される無線信号送受信モジュールを更に備え、前記無線信号送受信モジュールはワイヤレスネットワークを通してバックエンド管理システムに接続されることを特徴とする、請求項４に記載の熱画像表示機能を有するウェアラブル装置。
【請求項１４】
前記可視光画像及び前記熱画像が前記プロセッサーに伝送され、且つ前記無線信号送受信モジュールにより前記バックエンド管理システムに伝送されることを特徴とする、請求項１３に記載の熱画像表示機能を有するウェアラブル装置。
【請求項１５】
前記熱画像は複数組の色の組み合わせの中から１組が選択されて、前記熱画像を表示させる色とすることを特徴とする、請求項１に記載の熱画像表示機能を有するウェアラブル装置。
【請求項１６】
前記熱画像に表示される温度は所定の温度範囲内の温度であることを特徴とする、請求項１に記載の熱画像表示機能を有するウェアラブル装置。
【発明の詳細な説明】
【技術分野】
【０００１】
本発明は、ウェアラブル装置に関し、更に詳しくは、熱画像表示機能を有するウェアラブル装置（wearable device with thermal imaging function）に関する。
【背景技術】
【０００２】
ウェアラブル装置は広く受け入れられており、従来のウェアラブル装置としてはスマートウォッチ、スマートリストバンド以外、ヘッドマウント型の小型端末が最も人気がある。ヘッドマウント型の小型端末は仮想現実や拡張現実等のアプリケーションプログラムを実行でき、多方面に応用されている。
【発明の概要】
【発明が解決しようとする課題】
【０００３】
本発明の目的は、熱画像表示機能を有するウェアラブル装置を提供する。即ち、可視光用のレンズモジュール及びサーモグラフィーカメラを備える。可視光用のレンズモジュールは環境の画像が撮影可能であり、サーモグラフィーカメラは環境中の人物や物体の温度を感知させると共に環境の可視光画像及びそれに対応する熱画像をウェアラブル装置のディスプレイに一緒に表示させ、使用者が環境中の人物の体温や物体の温度を知ることができるようにする。
【課題を解決するための手段】
【０００４】
本発明の好ましい実施形態に係る熱画像表示機能を有するウェアラブル装置は、第１表示装置と、第２表示装置と、レンズモジュールとサーモグラフィーカメラとを備える。第２表示装置は第１表示装置に隣接する。レンズモジュールにより視覚範囲内の可視光画像がキャプチャされると共に可視光画像が第１表示装置に伝送されて第１表示装置に表示される。サーモグラフィーカメラにより視覚範囲内の熱画像がキャプチャされると共に前記熱画像が前記第２表示装置に伝送されて前記第２表示装置に表示されることを特徴とする。
【０００５】
他の好ましい実施態様において、本発明の熱画像表示機能を有するウェアラブル装置は、制御基板を更に備え、前記レンズモジュールによりキャプチャされた前記可視光画像が前記制御基板により前記第１表示装置に伝送され、前記サーモグラフィーカメラによりキャプチャされた前記熱画像が前記制御基板により前記第２表示装置に伝送される。前記制御基板はフォトルミネッセンス信号制御基板である。
【０００６】
他の好ましい実施態様において、本発明の熱画像表示機能を有するウェアラブル装置は、前記第１表示装置、前記第２表示装置、前記レンズモジュール、及び前記サーモグラフィーカメラに接続されるプロセッサーを更に備える。
【０００７】
他の好ましい実施態様において、本発明の熱画像表示機能を有するウェアラブル装置は、前記プロセッサーに接続され、ジェスチャーの検知及び認識に用いられるジェスチャー認識モジュールを更に備える。
【０００８】
他の好ましい実施態様において、前記プロセッサーは、外部装置から入力された画像信号を受信させると共に前記画像信号を前記第１表示装置及び前記第２表示装置に伝送させて再生するための入力ポートを更に備える。入力ポートは高精細度マルチメディアインターフェース入力ポート(High Definition Multimedia Interface、HDMI)である。
【０００９】
他の好ましい実施態様において、本発明の熱画像表示機能を有するウェアラブル装置は、前記プロセッサーに接続され、且つ前記プロセッサーにより前記第１表示装置及び前記第２表示装置に対して給電が行われる電源を更に備える。
【００１０】
他の好ましい実施態様において、本発明の熱画像表示機能を有するウェアラブル装置は、前記プロセッサーに接続される電源制御基板を更に備え、外部電源が前記電源制御基板を介して前記プロセッサーに接続される。
【００１１】
他の好ましい実施態様において、本発明の熱画像表示機能を有するウェアラブル装置は、前記プロセッサーに接続される少なくとも１つのスピーカーを更に備え、前記プロセッサーにより音声信号が前記スピーカーに出力される。
【００１２】
他の好ましい実施態様において、本発明の熱画像表示機能を有するウェアラブル装置は、前記プロセッサーに接続されるマイクロフォンを更に備え、前記マイクロフォンにより音声が収音された後に音声信号に変換され、且つ前記プロセッサーに伝送される。
【００１３】
他の好ましい実施態様において、本発明の熱画像表示機能を有するウェアラブル装置は、前記プロセッサーに接続される保存装置を更に備える。
【００１４】
他の好ましい実施態様において、本発明の熱画像表示機能を有するウェアラブル装置は、前記プロセッサーに接続される無線信号送受信モジュールを更に備え、前記無線信号送受信モジュールはワイヤレスネットワークを通してバックエンド管理システムに接続される。
【００１５】
他の好ましい実施態様において、前記可視光画像及び前記熱画像が前記プロセッサーに伝送され、且つ前記無線信号送受信モジュールにより前記バックエンド管理システムに伝送される。
【００１６】
他の好ましい実施態様において、前記熱画像は複数組の色の組み合わせの中から１組が選択されて、前記熱画像を表示させる色とする。
【００１７】
他の好ましい実施態様において、前記熱画像に表示される温度は所定の温度範囲内の温度である。
【図面の簡単な説明】
【００１８】
【図１】本発明に係る熱画像表示機能を有するウェアラブル装置を説明するブロック図である。
【発明を実施するための形態】
【００１９】
以下、図面を参照して本発明に係る熱画像表示機能を有するウェアラブル装置の実施形態について説明する。尚、以下に説明する実施の形態は、特許請求の範囲に記載された本発明の内容を限定するものではない。また、以下に説明される構成の全てが、本発明の必須要件であるとは限らない。
【実施形態】
【００２０】
以下、本発明の具体的な実施形態を図１に基づいて説明する。本発明の一実施形態に係る熱画像表示機能を有するウェアラブル装置１００は、第１表示装置１０と、第２表示装置２０と、レンズモジュール３０と、サーモグラフィーカメラ４０とを備える。第２表示装置２０は第１表示装置１０に隣接する。レンズモジュール３０により視覚範囲内の可視光画像がキャプチャされると共に可視光画像が第１表示装置１０に伝送されて第１表示装置１０に表示される。サーモグラフィーカメラ４０により同様に前記視覚範囲内の熱画像がキャプチャされると共に前記熱画像が第２表示装置２０に伝送されて第２表示装置２０に表示される（図１参照）。
【００２１】
図１に示されるように、レンズモジュール３０及びサーモグラフィーカメラ４０は制御基板５０を介して第１表示装置１０及び第２表示装置２０に接続される。レンズモジュール３０によりキャプチャされた可視光画像は制御基板５０により第１表示装置１０に伝送され、サーモグラフィーカメラ４０によりキャプチャされた熱画像は制御基板５０により第２表示装置２０に伝送される。本実施態様において、制御基板５０はフォトルミネッセンス信号制御基板である。このため、レンズモジュール３０及びサーモグラフィーカメラ４０によりキャプチャされた画像は第１表示装置１０及び第２表示装置２０に直接伝送され、使用者は第１表示装置１０及び第２表示装置２０を使用して前方の画像を直接観察でき、且つ第１表示装置１０及び第２表示装置２０は併設されているため、使用者は可視光画像及び熱画像を比較観察することができる。これにより、どの人物または物体の温度かを識別可能になる。熱画像は複数組の色の組み合わせの中から１組が選択されて熱画像を表示させる色とする。例えば、高温は赤色で表示され、低温は青色で表示され、赤色と青色との間の各色で異なる温度が表示されるか、或いはグレースケールで表示され、即ち、温度が高い程白色に近くなり、温度が低い程黒色に近くなる。また、表示される熱画像の温度範囲は予め設定される。例えば、最高表示温度が３５℃と設定され、最低表示温度が２０℃と設定され、即ち、２０℃~３５℃の範囲内の温度が異なる色で表示される。３５℃以上または２０℃以下では、３５℃及び２０℃とそれぞれ同じ色で表示され、こうして温度変化の表示が希望する範囲内に設定される。例えば、人体の体温の検知では３７℃と３１℃との間に設定され、熱画像から正常な体温３７℃を超えている人物がいるかどうかを判断可能になる。
【００２２】
なお、本発明の熱画像表示機能を有するウェアラブル装置１００はプロセッサー６０を更に備える。プロセッサー６０は制御基板５０に接続され、且つ制御基板５０を介して第１表示装置１０、第２表示装置２０、レンズモジュール３０、及びサーモグラフィーカメラ４０に接続される（図１参照）。プロセッサー６０は、外部装置から入力される画像信号を受信させると共に画像信号を第１表示装置１０及び第２表示装置２０に伝送させて再生させるための入力ポート６２を含む。本実施態様において、入力ポート６２は高精細度マルチメディアインターフェース入力ポート(High Definition Multimedia Interface、HDMI)である。また、本発明の熱画像表示機能を有するウェアラブル装置１００は、プロセッサー６０に接続され、且つジェスチャーの検知及び認識に用いられるジェスチャー認識モジュール７０を更に備える。ジェスチャー認識モジュール７０によりジェスチャーが検知されると、最適な演算法によりジェスチャーが認識され、且つ制御信号が出力される。例えば、使用者がゲーム等の仮想現実または拡張現実のプログラムを実行すると、ジェスチャー操作が結合されて、ゲームの進行を制御できる。
【００２３】
また、本発明の熱画像表示機能を有するウェアラブル装置１００は、プロセッサー６０に接続されるスピーカー８０を更に備え、プロセッサー６０により音声信号がスピーカー８０に出力される。本発明に係る熱画像表示機能を有するウェアラブル装置１００は、プロセッサー６０に接続されるマイクロフォン９０を更に含み、マイクロフォン９０により音声が収音された後に音声信号に変換されると共にプロセッサー６０に伝送される。使用者はスピーカー８０を使用して音声を聞き取り、マイクロフォン９０を使用して音声を入力する。なお、本発明の熱画像表示機能を有するウェアラブル装置１００は、プロセッサー６０に接続される無線信号送受信モジュール１１０を更に具備し、無線信号送受信モジュール１１０はワイヤレスネットワークを通してバックエンド管理システムに接続される。レンズモジュール３０により生成される可視光画像及びサーモグラフィーカメラ４０により生成される熱画像はプロセッサー６０に伝送され、且つ無線信号送受信モジュール１１０によりバックエンド管理システムに伝送され、バックエンド管理システムの使用者が現場の状況を同期で観察できる。或いは、バックエンド管理システムにより適切な管理が行われ、例えば、環境中の人物が発熱しているかを監視し、検疫効果を達成させる。使用者は無線信号送受信モジュール１１０を利用してバックエンド管理システムの人員と通信可能である。
【００２４】
さらに、本発明の熱画像表示機能を有するウェアラブル装置１００は、プロセッサー６０に接続される電源１２０を更に備え、且つプロセッサー６０により第１表示装置１０及び第２表示装置２０に対して給電が行われる。本実施態様において、電源１２０は電池である。他の実施態様において、本発明の熱画像表示機能を有するウェアラブル装置１００は、プロセッサー６０に接続される電源制御基板１３０を更に含み、外部電源は電源制御基板１３０を介してプロセッサー６０に接続される。これにより、外部電源から本発明に係る熱画像表示機能を有するウェアラブル装置１００に対して給電が行われ、或いは電源１２０に対して充電が行われる。
【００２５】
また、本発明の熱画像表示機能を有するウェアラブル装置１００は、保存装置を更に備える。メモリーカードが抜き差しされて、プログラムコードやデータが保存され、プロセッサー６０によりアクセスされる。
【００２６】
本発明の熱画像表示機能を有するウェアラブル装置１００は、可視光用のレンズモジュール３０及びサーモグラフィーカメラ４０を備えることで、環境の可視光画像及び熱画像を同時にキャプチャして表示することができる。また、環境の可視光画像及びそれに対応する熱画像がウェアラブル装置のディスプレイに一緒に表示されて、使用者が環境中の人物の体温や物体の温度を知ることができるようにし、検疫や検知機能を達成させる。
【００２７】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００２８】
１０  第１表示装置
２０  第２表示装置
３０  レンズモジュール
４０  サーモグラフィーカメラ
５０  制御基板
６０  プロセッサー
６２  入力ポート
７０  ジェスチャー認識モジュール
８０  スピーカー
９０  マイクロフォン
１００  ウェアラブル装置
１１０  無線信号送受信モジュール
１２０  電源
１３０  電源制御基板
【図１】
2019029983.tif 000003